(57)【要約】      （修正有）【課題】磁性部と磁気誘導部とが相互に吸着することによって、係止部材が摩損したり断裂したりすることを防止する折り畳み式キーボードを提供する。【解決手段】折り畳み式キーボードは、第１の入力部１０、第２の入力部２０、支持部３０、磁性部４０及び磁気誘導部５０を含む。磁性部は、第２の入力部に設けられる。磁気誘導部は、支持部に設けられる。第２の入力部が第１の入力部の上に折り畳まれ、且つ支持部が第２の入力部の上に折り畳まれた場合、磁性部と磁気誘導部とが相互に吸引することによって、外側へ回転しにくいように磁力で支持部が第２の入力部の上に吸着する。【選択図】図３
0003181310.tif 000002
【実用新案登録請求の範囲】
【請求項１】
第１のボタン部を有する頂面と、前記頂面に相対する底面と、ヒンジ接続側部と、前記ヒンジ接続側部と隣接する連接側部と、を有する第１の入力部と、
第２のボタン部を有する頂面と、前記頂面に相対する底面と、前記第１の入力部の前記ヒンジ接続側部とヒンジ接続するヒンジ接続側部と、を有する第２の入力部と、
前記第１の入力部の前記連接側部に摺動可能且つ回転可能に連接される支持部と、
前記第２の入力部に設けられる磁性部と、
前記支持部に設けられる磁気誘導部と、
を含み、
前記第１のボタン部と前記第２のボタン部とが相互に対向して重ね合わせ状態を呈するとともに、前記支持部が前記第２のボタン部の上に折り畳まれた場合、前記磁性部と前記磁気誘導部は相互に対応し、前記支持部は前記第２の入力部に吸着されることを特徴とする折り畳み式キーボード。
【請求項２】
前記第１の入力部は、少なくとも１つの回転軸を備え、
前記第２の入力部は、少なくとも１つのヒンジ接続ベースを備え、
前記第１の入力部と前記第２の入力部は、ヒンジ接続ユニットにより連接され、
前記ヒンジ接続ユニットは、凹溝を有する回転軸と、前記凹溝に係止されるスナップリングと、を含み、
前記回転軸は、前記回転軸ベースと前記ヒンジ接続ベースに挿設され、
前記凹溝は、前記回転軸ベースと前記ヒンジ接続ベースとの間に位置することを特徴とする請求項１に記載の折り畳み式キーボード。
【請求項３】
前記第２の入力部の底面には突出部が設けられ、
前記突出部は、前記支持部に対応する高さを有することを特徴とする請求項１に記載の折り畳み式キーボード。
【請求項４】
前記突出部と前記第１の入力部の底面には、少なくとも１つの滑り止め部がそれぞれ設けられることを特徴とする請求項３に記載の折り畳み式キーボード。
【請求項５】
前記支持部は、支持板と、前記連接側部に連接されると共に前記支持板とヒンジ接続するスライド部と、前記支持板にヒンジ接続される支持フレームと、前記支持板における、前記第１の入力部に隣接する一側にヒンジ接続される底板と、を含むことを特徴とする請求項１に記載の折り畳み式キーボード。
【請求項６】
前記底板は複数のホルダーブロックを有し、
前記支持フレームは、前記複数のホルダーブロックのうち何れか２つのホルダーブロックの間に支持されることを特徴とする請求項５に記載の折り畳み式キーボード。
【請求項７】
前記支持板は前記底板を収容する収容部を有することを特徴とする請求項６に記載の折り畳み式キーボード。
【考案の詳細な説明】
【技術分野】
【０００１】
本考案は、折り畳み式キーボードに関するものであり、特に電子機器を載置可能な折り畳み式キーボードに関するものである。
【背景技術】
【０００２】
時代の進歩に従い、例えばタブレットパーソナルコンピューター（Tablet Personal Computer）、スマートフォンなどのタッチ操作可能な携帯型電子機器が普及している。タッチ操作可能な携帯型電子機器の多くは、物理的なキーボードを備えておらず、ユーザーが指などでタッチスクリーンをタッチすることで情報を入力するようなタッチ操作方法を使用する。しかしながら、ユーザーが大量の情報を入力しようとする場合、このようなタッチ操作方法は情報を入力する効率が悪いといった欠点が存在する。解決策として、上述の欠点を解消できる折り畳み式キーボードが開発されていた。
【０００３】
台湾特許公告第Ｉ２７０８０７号公報（特許文献１）に係る折り畳み式キーボードにおいて、折り畳み式キーボードは、２つのキーボードユニット、上カバー及び下カバーを含み、上カバーと下カバーが相互に係合固定してなる収容空間を有し、折り畳まれた２つのキーボードユニットが収容空間に収容され、上カバーが電子機器を支持するためのホルダーとしても機能するようにしている。しかしながら、特許文献１のような折り畳み式キーボードは、上カバーと下カバーが相互に係合固定する方式で使用するため、ケースが損傷しやすく、ひいては折り畳み式キーボードの寿命が短くなる恐れがある。
【０００４】
台湾実用新案公告第Ｍ４１９１４３号公報（特許文献２）に係る折り畳み式キーボードにおいて、折り畳み式キーボードは、左キーボードモジュール及び右キーボードモジュールを含み、回転軸、補助板、バヨネット及びプラグで２つのキーボードモジュールを連接することで、２つのキーボードモジュールが連接箇所を回転軸として回転して折り畳むようにしている。しかしながら、特許文献２のような折り畳み式キーボードは、２つのキーボードモジュールを着脱する工程が複雑で、部品が多すぎるため、製造コストが高く、製造が複雑であるなどの欠点が存在する。
【０００５】
そこで、本考案の出願人は、上記の問題点を改善するために、鋭意検討を行なった結果、合理的な設計で且つ上記の問題点を有効に改善する本考案を完成するに至った。
【先行技術文献】
【特許文献】
【０００６】
【特許文献１】台湾特許公告第Ｉ２７０８０７号公報
【特許文献２】台湾実用新案公告第Ｍ４１９１４３号公報
【考案の概要】
【考案が解決しようとする課題】
【０００７】
本考案の第１の目的は、電子機器を載置するための摺動可能且つ回転可能な支持部を備え、磁力で支持部をキーボードに吸着することによって、折り畳まれたキーボードを固定することが可能な折り畳み式キーボードを提供することにある。
【０００８】
本考案の第２の目的は、従来技術において支持部に設けられる係止部材が小さく精度が求められることで製品を製造する際に金型を調整するのに時間がかかるといった欠点を解決することができる、従来技術のように係止部材が断裂する欠点がない、金型の調整時間を軽減することができる折り畳み式キーボードを提供することにある。本考案の第３の目的は、固定方式で製品の外見を制限することのない折り畳み式キーボードを提供することにある。
【課題を解決するための手段】
【０００９】
本考案に係る折り畳み式キーボードは、第１の入力部、第２の入力部、支持部、磁性部及び磁気誘導部（induction magnetic body）を含む。磁性部は、第２の入力部に設けられる。磁気誘導部は、支持部に設けられる。第２の入力部及び支持部が第１の入力部の相対する両側にそれぞれヒンジ接続されることによって、第２の入力部は、第１の入力部と並列な状態と第１の入力部の上に折り畳まれた状態とを採りうる。
【００１０】
第２の入力部が第１の入力部の上に折り畳まれ、且つ支持部が第２の入力部の上に折り畳まれた場合、磁性部と磁気誘導部とが相互に吸引することによって、支持部が外側へ回転しにくいように磁力で第２の入力部の上に吸着する。
【００１１】
本考案において、第１の入力部と第２の入力部はヒンジ接続部によりヒンジ接続される。ヒンジ接続部にはスナップリング（snap ring）が設けられる。
【考案の効果】
【００１２】
本考案に係る折り畳み式キーボードによれば、磁性部と磁気誘導部とが相互に吸着することによって、構造全体を簡略化すると共に製造コストを低減することができ、従来技術のように係止部材が摩損したり断裂したりすることで折り畳み式キーボードの寿命が短くなるのを防ぐことができる。
【図面の簡単な説明】
【００１３】
【図１】本考案に係る折り畳み式キーボードの使用状態の模式図を示すものである。
【図２】本考案に係る折り畳み式キーボードのヒンジ接続ユニットの分解模式図を示すものである。
【図３】本考案に係る折り畳み式キーボードの重ね合わせ状態の模式図を示すものである。
【図４】本考案に係る折り畳み式キーボードの収納状態の模式図を示すものである。
【図５】本考案に係る折り畳み式キーボードの支持部の模式図を示すものである。
【図６】本考案に係る折り畳み式キーボードの使用状態の模式図を示すものである。
【考案を実施するための形態】
【００１４】
以下、本明細書と図面に開示された本考案の実施形態は、本考案の技術内容をより分かりやすく説明し、本考案の理解を助けるために実施例を挙げたものに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１５】
本考案に係る折り畳み式キーボード１００は、物理的なキーボードを備えていないタブレットパーソナルコンピューター、スマートフォンなどの携帯型電子機器に適用できる。図１に示すように、折り畳み式キーボード１００は、第１の入力部１０、第２の入力部２０及び支持部３０を含む。第１の入力部と第２の入力部は並列に配置され、それらの内側が相互にヒンジ接続される。支持部３０は、第１の入力部１０における内側部に隣接する側部に連接される。
【００１６】
図２は、第１の入力部１０と第２の入力部２０の間のヒンジ接続構造の立体拡大図を示すものである。図１及び図２に示すように、第１の入力部１０は、頂面１１と、頂面１１と相対する底面１２と、ヒンジ接続側部１３と、ヒンジ接続側部１３と隣接する連接側部１４と、ヒンジ接続側部１３に位置する回転軸ベース１５と、を有する。第１の入力部１０の頂面１１は、第１のボタン部１１１を有する。第１の入力部１０の連接側部１４は、スライドレールを有する。
【００１７】
第２の入力部２０は、頂面２１と、頂面２１と相対する底面２２と、ヒンジ接続側部２３と、ヒンジ接続側部２３に位置するヒンジ接続ベース２４と、を有する。第２の入力部２０の頂面２１は、第２のボタン部２１１を有する。第１のボタン部１１１及び第２のボタン部２１１には複数のボタンがそれぞれ設けられる。
【００１８】
図２に示すように、第１の入力部１０及び第２の入力部２０は、ヒンジ接続ユニット６０により相互にヒンジ接続される。本実施例において、ヒンジ接続ユニット６０は、回転軸６１とスナップリング６２を有する。回転軸６１は、回転軸ベース１５とヒンジ接続ベース２４に挿設される。回転軸６１には凹溝６１１が設けられる。凹溝６１１は、回転軸ベース１５とヒンジ接続ベース２４との間に位置する。スナップリング６２が凹溝６１１に緊密に係止されることによって、移動や振動などにより回転軸６１が回転軸ベース１５とヒンジ接続ベース２４から外れるのを防ぐことができる。また、スナップリング６２を取り外すと、回転軸６１を回転軸ベース１５とヒンジ接続ベース２４から取り外すことができる。ヒンジ接続ユニット６０により、第１の入力部１０と第２の入力部２０を完全の開状態（水平状態に開かれた状態）から重ね合わせ状態に容易に回転させることができる。
【００１９】
ヒンジ接続ユニット６０の設計によれば、折り畳み式キーボード１００を容易に組み立てたり取り外したりすることができると共に、使用中に不意に外れることなく第１の入力部１０と第２の入力部２０を確実にヒンジ接続することができる。
【００２０】
図３に示すように、第２の入力部２０は回転されて第１の入力部１０の上に重ね合わせられる。第２の入力部２０の底面２２には、突出部２２１と、支持部３０に第２の入力部２０をカバーさせるための段差空間と、が設けられる。キーボードが水平状態に開かれた場合、突出部２２１及び第１の入力部１０の底面１２は共平面となる。突出部２２１には少なくとも１つの滑り止め部７０が設けられる。滑り止め部７０は、折り畳み式キーボードがユーザーの入力中の打鍵力で滑ることを防ぐように、折り畳み式キーボード１００とテーブルの表面との摩擦力を増加するためのものである。また、図示しないが、第１の入力部１０の底面にも滑り止め部が設けられるようにしてもよい。
【００２１】
図３に示すように、第１の入力部１０と第２の入力部は、重ね合わせ状態を呈すると共に、支持部３０との間にはある角度を保つ。重ね合わせ状態とは、第１の入力部１０と第２の入力部２０が相互に重ね合わせられると共に、第１のボタン部１１１と第２のボタン部２１１が相互に対向するようになる状態を指す。ユーザーは、電子機器を支持部３０に載せて、見やすいように電子機器と第１の入力部との間に所定の角度を保つようにすることができる。図１に示すように、本実施例において、第１の入力部１０にはスロット１１０が設けられ、第２の入力部２０には係止部２１０が設けられることによって、第２の入力部２０が第１の入力部１０に係止固定されることを補助する。
【００２２】
図４に示すように、第１の入力部１０と第２の入力部２０が重ね合わせ状態を呈するとともに、支持部３０が第２の入力部２０の上に折り畳まれたことで収納状態となる。収納状態とは、ユーザーが折り畳み式キーボードを携帯しやすいように、折り畳み式キーボード１００全体のサイズを縮小した状態を指す。
【００２３】
図３に示すように、第２の入力部２０の内部には磁性部４０が設けられ、支持部３０の表面又は内部には磁気誘導部５０が設けられる。磁性部４０は、２つの円形の強力磁石である。磁性部４０の形状は長方形、矩形などの形状であってもよく、本考案において磁性部４０の形状と数量は特に限定されていない。磁気誘導部５０は、電子機器が支持部４０に置かれた場合、磁石の磁気干渉で電子機器を損害したり電子機器の寿命を短くしたりすることを防ぐためのものであり、例えば鉄片などのものである。磁気誘導部５０の形状は例えば長方形、円形などの形状であってもよく、特に限定されていない。
【００２４】
折り畳み式キーボード１００が収納状態を呈する場合、磁性部４０と磁気誘導部５０とが相互に対向するため、支持部３０が磁力で第２の入力部２０の上に吸着される。本実施例において、磁力で支持部３０を固定する方式により、折り畳み式キーボード全体の構造を簡略化することができ、従来技術の係止方式による係止部材の摩損、断裂といった欠点をなくすことができ、金型の調整時間を軽減でき、固定方式で製品の外見を制限する欠点をなくすことができるといった効果を奏することができる。
【００２５】
図１、図３及び図５に示すように、支持部３０は、支持板３１、スライド部３２、支持フレーム３３及び底板３４を備える。スライド部３２は、第１の入力部１０の連接側部１４に摺動可能に連接される。支持部３０が第１の入力部１０の連接側部１４に沿って摺動できるように、且つ第１の入力部１０とある角度を保つように支持板３１を回転させることができるように、支持板３１はスライド部３２の両側にヒンジ接続される。
【００２６】
図５に示すように、支持フレーム３３が、支持板３１が収納状態となる場合に第２の入力部２０の頂面２１に対向しない一方の表面にヒンジ接続される。支持フレーム３３は、曲折してなる並列線状を呈する。支持フレーム３３の頂部が支持板３１にヒンジ接続され、支持フレーム３３の底部が底板３４に当接される。これにより、支持板３１と第１の入力部１０とは所定の角度を保つことができる。
【００２７】
底板３４は、支持板３１にヒンジ接続されており、そのヒンジ接続位置は第１の入力部１０の連接側部に近い。底板３４は、複数のホルダーブロック３４１を有する。複数のホルダーブロック３４１は、直列に配置されてもよく、並列に配置されてもよい。ホルダーブロック３４１は、支持フレーム３３を２つのホルダーブロック３４１の間に支持させるための距離を有する。ホルダーブロック３４１の数量により、支持板３１の複数の所定角度が決まる。ユーザーは電子機器を支持板３１に載せる場合、支持フレーム３３を異なるホルダーブロック３４１ペアの間に支持させることによって、支持板３１が異なる角度を呈することができる。
【００２８】
図５に示すように、支持部３０は、底板３４の形状と高さに対応する凹部空間である収容部３１１を有する。収容部３１１は、支持フレーム３３と対応する並列線状凹溝を有する。支持フレーム３３は並列線状凹溝に収容されることができる。折り畳み式キーボード１００が収納状態を呈する場合、底板３４は収容部３１１に収容され、支持フレーム３３は底板３４と支持板３１との間に位置する。
【００２９】
本考案の折り畳み式キーボード１００を使用する時、図１に示すように、先ず第１の入力部１０と第２の入力部２０を水平状態に開く。ここで、水平状態とは、第１の入力部１０と第２の入力部２０とが実質的に同一の平面になる状態を指す。折り畳み式キーボード１００が水平状態に開かれた場合、ユーザーは電子機器（図示せず）を支持部に載せることができる。
【００３０】
図５及び図６に示すように、支持部３０は、ユーザーが折り畳み式キーボード１００を使用する時、電子機器と第１の入力部１０とがある角度を保ち、この角度を調整することによって電子機器の使用視角を調整できるように機能する。図６に示すように、本実施例において、電子機器が折り畳み式キーボードに設置される位置を調整することができる。この場合、スライド部３２により支持部３０を第１の入力部１０側から第２の入力部２０側へ摺動させ、即ち電子機器を折り畳み式キーボード１００の中央前方に摺動させることによって、ユーザーが折り畳み式キーボード１００により情報を電子機器へ入力する時、斜視したり頭を傾けたりすることなく、視線が電子機器の真正面に位置できるため、長期間使用することで首が凝るのを防ぐことができる。
【００３１】
上述したように、本考案に係る折り畳み式キーボードによれば、少なくとも下記のメリットがある。
本考案において、係止部材で固定する固定方式の代わりに、磁性部と磁気誘導部を使用することによって、構造全体を簡単化すると共に製造コストを低減することができ、従来技術のように係止部材が摩損したり断裂したりすることで折り畳み式キーボードの寿命が短くなるのを防ぐことができる。
本考案において、スナップリングを有するヒンジ接続部により、折り畳み式キーボードを容易に組み立てたり取り外したりすることができると共に、固定状態の場合、回転軸が不意に外れるのを防ぐことができる。
本考案において、ホルダーブロックの設計によって、ユーザーは支持板を複数の所定角度に調整することができる。
【００３２】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００３３】
１００  折り畳み式キーボード
１０  第１の入力部
１１  頂面
１１０  スロット
１１１  第１のボタン部
１２  底面
１３  ヒンジ接続側部
１４  連接側部
１５  回転軸ベース
２０  第２の入力部
２１  頂面
２１０  係止部
２１１  第２のボタン部
２２  底面
２２１  突出部
２３  ヒンジ接続側部
２４  ヒンジ接続ベース
３０  支持部
３１  支持板
３１１  収容部
３２  スライド部
３３  支持フレーム
３４  底板
３４１  ホルダーブロック
４０  磁性部
５０  磁気誘導部
６０  ヒンジ接続ユニット
６１  回転軸
６１１  凹溝
６２  スナップリング
７０  滑り止め部
【図１】
0003181310.tif 000003
【図２】
0003181310.tif 000004
【図３】
0003181310.tif 000005
【図４】
0003181310.tif 000006
【図５】
0003181310.tif 000007
【図６】
0003181310.tif 000008